(57)【要約】【課題】液滴吐出ヘッドにおいて、駆動素子基板と保護基板を接合するための接着剤が駆動素子基板の駆動部分に流れ込むことを防止する。【解決手段】駆動素子基板１１２と保護基板１１３は接着剤１２５を介して接合されている。駆動素子基板１１２は、保護基板１１３と対向する面に保護基板１１３の保護基板側接合部分１１３ａが接合される駆動素子基板側接合部分１２６を備えている。駆動素子基板側接合部分１２６は、接着剤１２５の塗布が予定される接着剤塗布領域１２６ａと接着剤１２５の塗布が予定されない未塗布領域１２６ｂを備えている。駆動素子基板側接合部分１２６は、接着剤１２５の拡がりを制御するために接着剤塗布領域１２６ａと未塗布領域１２６ｂの境界に表面性の変化点を備えている。【選択図】図８
2015160309.tif 000002
【特許請求の範囲】
【請求項１】
ノズル孔を有するノズル板と、
前記ノズル孔につながる液室内に振動板を介して圧力を発生させる駆動素子を有する駆動素子基板と、
前記駆動素子基板に接着剤を介して接合された保護基板と、を備え、
前記駆動素子基板は、前記保護基板と対向する面に前記保護基板の保護基板側接合部分が接合される駆動素子基板側接合部分を備え、
前記駆動素子基板側接合部分は、前記接着剤の塗布が予定される接着剤塗布領域と前記接着剤の塗布が予定されない未塗布領域を備え、かつ、前記接着剤の拡がりを制御するために前記接着剤塗布領域と前記未塗布領域の境界に表面性の変化点を備えていることを特徴とする液滴吐出ヘッド。
【請求項２】
前記表面性の変化点は、前記接着剤塗布領域と前記未塗布領域に対する、前記駆動素子基板側接合部分の表面に形成された凹凸形状の有無又は前記駆動素子基板側接合部分の表面への不純物種の注入の有無によって形成されていることを特徴とする請求項１に記載の液滴吐出ヘッド。
【請求項３】
前記接着剤は親水性接着剤であり、前記接着剤塗布領域の表面は前記未塗布領域の表面に比べて親水性度が高く、又は、前記接着剤は疎水性接着剤であり、前記接着剤塗布領域の表面は前記未塗布領域の表面に比べて疎水性度が高いことを特徴とする請求項３に記載の液滴吐出ヘッド。
【請求項４】
前記表面性の変化点は、前記駆動素子基板側接合部分の一部分が除去されて形成された凹凸段差形状によって形成されていることを特徴とする請求項１から３のいずれか一項に記載の液滴吐出ヘッド。
【請求項５】
液滴を吐出する液滴吐出ヘッドと該液滴吐出ヘッドに液体を供給する液体タンクを一体化した液体カートリッジにおいて、
前記液滴吐出ヘッドは請求項１から４のいずれか一項に記載の液滴吐出ヘッドであることを特徴とする液体カートリッジ。
【請求項６】
液滴を吐出させる液滴吐出ヘッドを備えた液滴吐出記録装置において、
前記液滴吐出ヘッドは請求項１から４のいずれか一項に記載の液滴吐出ヘッドであることを特徴とする液滴吐出記録装置。
【請求項７】
請求項１に記載された液滴吐出ヘッドを製造するための方法であって、
前記保護基板の前記保護基板側接合部分が前記駆動素子基板の前記駆動素子基板側接合部分に前記接着剤を介して接合されたときに、前記接着剤の拡がりは前記駆動素子基板側接合部分の前記表面性の変化点によって制御されることを特徴とする液滴吐出ヘッドの製造方法。
【請求項８】
前記表面性の変化点は、前記接着剤塗布領域と前記未塗布領域に対する、前記駆動素子基板側接合部分の表面に形成された凹凸形状の有無又は前記駆動素子基板側接合部分の表面への不純物種の注入の有無によって形成されていることを特徴とする請求項７に記載の液滴吐出ヘッドの製造方法。
【請求項９】
前記接着剤は親水性接着剤であり、前記接着剤塗布領域の表面は親水性であり、かつ前記未塗布領域の表面は疎水性であり、又は、前記接着剤は疎水性接着剤であり、前記接着剤塗布領域の表面は疎水性であり、かつ前記未塗布領域の表面は親水性であることを特徴とする請求項８に記載の液滴吐出ヘッドの製造方法。
【請求項１０】
前記表面性の変化点は、前記駆動素子基板側接合部分の一部分が除去されて形成された凹凸段差形状によって形成されていることを特徴とする請求項７から９のいずれか一項に記載の液滴吐出ヘッドの製造方法。
【発明の詳細な説明】
【技術分野】
【０００１】
本発明は、液滴吐出ヘッド及びその製造方法、並びに液体カートリッジ及び液滴吐出記録装置に関するものである。
【背景技術】
【０００２】
液滴吐出ヘッドは、所定の形状に加工された複数の基板が接合されることによって形成されている。それらの基板には圧電体等の各種部材が形成された基板も含まれている。
【０００３】
近年、微細な液滴を精度良く吐出できる液滴吐出ヘッドが求められている。その要求に伴って、液滴吐出ヘッドを構成する基板について、微細な加工が行われ、各部材が小型化され、高密度な実装がされるようになってきている。このため、複数の基板を高精度で接合することが要求されている。
【０００４】
液滴吐出ヘッドを作成するために複数の基板が接合される際には、従来から接着剤が用いられている。しかし、接合部において基板間を十分な強度で接合するために接着剤の塗布量が多くされると、接着剤がはみ出し、他の部材の機能を阻害する虞があるという問題があった。また、接着剤の塗布量が少なくされると、基板間の接着強度が低下するという問題があった。
【０００５】
このような不具合を解決する方法としては、スクリーン印刷法などを用いて、接着剤が存在する部位と存在しない部位とが所定のパターン状で形成されるように接着剤を塗布することが既に知られている（例えば特許文献１を参照。）。
【発明の概要】
【発明が解決しようとする課題】
【０００６】
特許文献１には、塗布された接着剤の形状の最大径が１ｍｍ（ミリメートル）以下になるように接着剤の塗布領域を制御してスクリーン印刷法などで接着剤のパターンを形成して基板同士を接合することが開示されている。しかし、スクリーン印刷法などによる接着剤の塗布方法は、より微細な、例えば２００μｍ（マイクロメートル）以下のパターン形状で接着剤を塗布することは困難である。
【０００７】
例えば、液滴吐出ヘッドを構成する複数の基板のうち、圧電素子等の駆動素子が形成された駆動素子基板と、駆動素子を保護するための保護基板との接合部分の幅寸法は例えば約１０μｍである。そうすると、従来の接合方法では接着剤のはみ出しを抑制することができない。
【０００８】
駆動素子基板と保護基板の接合部分から駆動素子基板の駆動部分へはみ出した接着剤は、駆動部分の動作の妨げになる。接着剤に起因して駆動部分の動作が妨げられると、液滴吐出ヘッドの吐出特性が不安定になるという問題があった。
【０００９】
本発明は、液滴吐出ヘッドにおいて、駆動素子基板と保護基板を接合するための接着剤が駆動素子基板の駆動部分に流れ込むことを防止することを目的とする。
【課題を解決するための手段】
【００１０】
本発明にかかる液滴吐出ヘッドは、ノズル孔を有するノズル板と、上記ノズル孔につながる液室内に振動板を介して圧力を発生させる駆動素子を有する駆動素子基板と、上記駆動素子基板に接着剤を介して接合された保護基板と、を備え、上記駆動素子基板は、上記保護基板と対向する面に上記保護基板の保護基板側接合部分が接合される駆動素子基板側接合部分を備え、上記駆動素子基板側接合部分は、上記接着剤の塗布が予定される接着剤塗布領域と上記接着剤の塗布が予定されない未塗布領域を備え、かつ、上記接着剤の拡がりを制御するために上記接着剤塗布領域と上記未塗布領域の境界に表面性の変化点を備えていることを特徴とするものである。
【発明の効果】
【００１１】
本発明の液滴吐出ヘッドは、駆動素子基板と保護基板を接合するための接着剤が駆動素子基板の駆動部分に流れ込むことを防止することができる。
【図面の簡単な説明】
【００１２】
【図１】液滴吐出ヘッドの一実施例を説明するための概略的な分解斜視図である。
【図２】同実施例を説明するための概略的な断面図である。
【図３】アクチュエータ板を示す概略的な斜視図である。
【図４】駆動素子基板と保護基板に分解された状態のアクチュエータ板を示す概略的な断面図である。
【図５】図３のＢ−Ｂ位置に対応する位置でのノズルとアクチュエータ基板を示す概略的な断面図である。
【図６】図３のＣ−Ｃ位置に対応する位置でのノズルとアクチュエータ基板を示す概略的な断面図である。
【図７】駆動素子基板と保護基板が接合したときの接着剤の拡がりによる不具合について説明するための概略的な断面図である。
【図８】駆動素子基板の駆動素子基板側接合部分における接着剤塗布領域と未塗布領域を参照するための概略的な断面図である。
【図９】液体カートリッジの一実施例を説明するための概略的な斜視図である。
【図１０】液滴吐出記録装置の一実施例を説明するための概略的な斜視図である。
【図１１】同実施例の機構部を説明するための概略的な側面図である。
【発明を実施するための形態】
【００１３】
本発明の液滴吐出ヘッドは、駆動素子基板と保護基板を接合するための接着剤が駆動素子基板の駆動部分に流れ込むことを防止することができるので、接着剤の流れ込みに起因する駆動素子基板の駆動部分の動作不良を防止できる。したがって、本発明の液滴吐出ヘッドは、液滴吐出ヘッドの吐出特性を安定させることができる。
【００１４】
本発明の液滴吐出ヘッドにおいて、上記表面性の変化点は、上記接着剤塗布領域と上記未塗布領域に対する、上記駆動素子基板側接合部分の表面に形成された凹凸形状の有無又は上記駆動素子基板側接合部分の表面への不純物種の注入の有無によって形成されている例を挙げることができる。上記凹凸形状の有無及び上記不純物種の注入の有無は、駆動素子基板側接合部分の表面において、互いに濡れ性の異なる領域を形成することができる。ただし、上記表面性の変化点の構造はこれらに限定されない。
【００１５】
例えば、上記接着剤は親水性接着剤であり、上記接着剤塗布領域の表面は上記未塗布領域の表面に比べて親水性度が高い例を挙げることができる。また、上記接着剤は疎水性接着剤であり、上記接着剤塗布領域の表面は上記未塗布領域の表面に比べて疎水性度が高い例を挙げることができる。
【００１６】
本発明の液滴吐出ヘッドにおいて、上記表面性の変化点は、上記駆動素子基板側接合部分の一部分が除去されて形成された凹凸段差形状によって形成されている例を挙げることができる。上記凹凸段差形状は、大きな上記表面性の変化点を形成することができる。ただし、上記表面性の変化点の構造はこれに限定されない。
【００１７】
本発明にかかる液体カートリッジは、液滴を吐出する液滴吐出ヘッドと該液滴吐出ヘッドに液体を供給する液体タンクを一体化した液体カートリッジであって、上記液滴吐出ヘッドは本発明の液滴吐出ヘッドであることを特徴とするものである。液滴吐出ヘッドと液体タンクを一体化した液体カートリッジの場合、液滴吐出ヘッドの性能はただちに液体カートリッジ全体の性能につながる。本発明の液体カートリッジは本発明の液滴吐出ヘッドを備えているので、液滴吐出ヘッドに関する吐出特性の安定性が向上し、ひいては高画質、低コストの液体カートリッジを達成することができる。
【００１８】
本発明にかかる液滴吐出記録装置は、液滴を吐出させる液滴吐出ヘッドを備えた液滴吐出記録装置であって、上記液滴吐出ヘッドは本発明の液滴吐出ヘッドであることを特徴とするものである。本発明の液滴吐出記録装置は、本発明の液滴吐出ヘッドを備えているので、液滴吐出ヘッドに関する吐出特性の安定性が向上し、ひいては高画質、高速での記録を行うことができる。また高速であるので、インクジェット記録装置全体の消費電力も低減できる。
【００１９】
本発明に係る液滴吐出ヘッドの製造方法は、本発明の液滴吐出ヘッドを製造するための方法であって、上記保護基板の上記保護基板側接合部分が上記駆動素子基板の上記駆動素子基板側接合部分に上記接着剤を介して接合されたときに、上記接着剤の拡がりは上記駆動素子基板側接合部分の上記表面性の変化点によって制御されることを特徴とする。
【００２０】
本発明に係る液滴吐出ヘッドの製造方法は、接着剤の拡がりを駆動素子基板側接合部分の上記表面性の変化点によって制御することによって、駆動素子基板と保護基板を接合するための接着剤が駆動素子基板の駆動部分に流れ込むことを防止することができる。これにより、本発明に係る液滴吐出ヘッドの製造方法は、接着剤の流れ込みに起因する駆動素子基板の駆動部分の動作不良を防止して、液滴吐出ヘッドの吐出特性を安定させることができる。
【００２１】
なお、本発明の液滴吐出ヘッドを製造するための方法は、本発明の液滴吐出ヘッドの製造方法に限定されず、他の方法であってもよい。
【００２２】
本発明の液滴吐出ヘッドの製造方法において、上記表面性の変化点は、上記接着剤塗布領域と上記未塗布領域に対する、上記駆動素子基板側接合部分の表面に形成された凹凸形状の有無又は上記駆動素子基板側接合部分の表面への不純物種の注入の有無によって形成されている例を挙げることができる。上記凹凸形状の有無及び上記不純物種の注入の有無は、駆動素子基板側接合部分の表面において、互いに濡れ性の異なる領域を形成することができる。ただし、上記表面性の変化点の構造はこれらに限定されない。
【００２３】
例えば、上記接着剤は親水性接着剤であり、上記接着剤塗布領域の表面は親水性であり、かつ上記未塗布領域の表面は疎水性である例を挙げることができる。また、上記接着剤は疎水性接着剤であり、上記接着剤塗布領域の表面は疎水性であり、かつ上記未塗布領域の表面は親水性である例を挙げることができる。
【００２４】
本発明の液滴吐出ヘッドの製造方法において、上記表面性の変化点は、上記駆動素子基板側接合部分の一部分が除去されて形成された凹凸段差形状によって形成されている例を挙げることができる。上記凹凸段差形状は、大きな上記表面性の変化点を形成することができる。ただし、上記表面性の変化点の構造はこれに限定されない。
【００２５】
以下に、図面を参照して本発明の実施例を説明する。本発明は、駆動素子基板と保護基板の接合において駆動素子近傍に形成される空間に関して、保護基板において上記空間を外部雰囲気に接続するための連通孔を備えていることが特徴になっている。
【００２６】
図１は、液滴吐出ヘッドの一実施例を説明するための概略的な分解斜視図である。図２は同実施例を説明するための概略的な断面図である。図２の断面は図１のＡ−Ａ位置に対応している。図２の断面は便宜上図１に対して上下逆転している。図３はアクチュエータ板を示す概略的な斜視図である。図４は駆動素子基板と保護基板に分解された状態のアクチュエータ板を示す概略的な断面図である。図５は図３のＢ−Ｂ位置に対応する位置でのノズルとアクチュエータ基板を示す概略的な断面図である。図６は図３のＣ−Ｃ位置に対応する位置でのノズルとアクチュエータ基板を示す概略的な断面図である。図５及び図６の断面は便宜上図３に対して上下逆転している。
【００２７】
インクジェットヘッドである液滴吐出ヘッド１０１は、ノズルカバー１０２、ノズル板１０３、アクチュエータ基板１０４、バッキンプレート１０５、ダンパープレート１０６、フレーム１０７、ＦＦＣ（Flexible Flat Cable）１０８を備えている。ノズル板１０３、アクチュエータ基板１０４、バッキンプレート１０５、ダンパープレート１０６はその順に積層されてノズルカバー１０２によってフレーム１０７に固定されている。
【００２８】
ノズル板１０３に、インク滴を吐出させるための微細孔である多数のノズル孔１０９が形成されている。アクチュエータ基板１０４に、ノズル孔１０９に個別に連通する個別液室１１０を備えた液路基板部１１１が形成されている。個別液室１１０は加圧液室部１１０ａ（液室）、流体抵抗部１１０ｂ、インク供給部１１０ｃを備えている。
【００２９】
ノズル孔１０９は、対応する個別液室１１０の加圧液室部１１０ａの先端位置に対応して配置されている。ノズル孔１０９の径は例えば１０〜３５μｍ（マイクロメートル）である。
【００３０】
ノズル板１０３は、例えばポリイミド等の樹脂フィルムで形成されている。ノズル孔１０９は例えばレーザー加工によって形成される。また、ノズル板１０３の材料としては、例えば、電鋳工法によって製造したニッケルの金属プレートや、シリコン、その他金属材料などを用いることもできる。なお、ノズル板１０３には撥水性の表面処理膜が成膜されている。
【００３１】
アクチュエータ基板１０４は、大きく分けて、駆動素子基板１１２と保護基板１１３を備えている。駆動素子基板１１２は保護基板１１３と対向する面に駆動素子基板側接合部分１２６を備えている。保護基板１１３は駆動素子基板１１２と対向する面に保護基板側接合部分１１３ａを備えている。駆動素子基板側接合部分１２６と保護基板側接合部分１１３ａは接着剤１２５を介して接合されている。
【００３２】
駆動素子基板１１２は、ノズル孔１０９につながる加圧液室部１１０ａ内に振動板１１５を介して圧力を発生させる圧電素子１１６（駆動素子）を有している。保護基板１１３は圧電素子１１６との間に空間１１４を形成した状態で駆動素子基板１１２に接合されている。
【００３３】
アクチュエータ基板１０４において、個別液室１１０は、駆動素子基板１１２の一部として形成されている。個別液室１１０は例えばシリコンからなる液路基板部１１１が加工されて形成されている。個別液室１１０はノズル孔１０９ごとに設けられている。例えば、液路基板部１１１は、写真製版技術及びＩＣＰ（Inductively Coupled Plasma）エッチャーによるフッ素系ガスを用いたシリコン深掘りドライエッチング技術によって形成される。通常、液路基板部１１１に個別液室１１０を形成するためのエッチング工程は、駆動素子基板１１２の表面側に圧電素子１１６等が形成され、さらに裏面研磨によりシリコン基板厚が１００μｍ程度に薄膜化された後に行なわれる。
【００３４】
駆動素子基板１１２において、液路基板部１１１上に振動板１１５が配置されている。振動板１１５上に圧電素子１１６が形成されている。振動板１１５は圧電素子１１６により発生した圧力を加圧液室部１１０ａ内の液体に伝えるための部位である。
【００３５】
振動板１１５は、例えばシリコン酸化膜、シリコン窒化膜、ポリシリコン膜などの単膜又は複合膜からなる。振動板１１５は、例えば拡散炉やＣＶＤ（Chemical Vapor Deposition）装置等を用いて形成される。振動板１１５の膜厚は、例えば積層膜の合計膜厚で０.５〜３μｍ程度である。
【００３６】
圧電素子１１６は、下部電極１１７と、下部電極１１７上に配置された圧電体１１８と、圧電体１１８上に配置された上部電極１１９とを備えている。この実施例では、下部電極１１７は複数の圧電素子１１６で共通の電極として用いられ、上部電極１１９は圧電素子１１６ごとで個別の電極として用いられる。
【００３７】
圧電素子１１６の圧電体１１８は、下部電極１１７及び上部電極１１９から供給される電圧によって変位（変形）する。圧電体１１８の変位によって振動板１１５が変位し、加圧液室部１１０ａ内の圧力が変化する。
【００３８】
圧電体１１８の材料は、例えばゾルゲル法によって形成されたＰＺＴ（チタン酸ジルコン酸鉛）である。圧電体１１８の膜厚は例えば１〜２μｍ程度である。ただし、圧電体１１８の材料及び膜厚はこれに限定されるものではない。例えば、圧電体１１８の材料として、ＰＺＴの他にＢａＴｉＯ3（チタン酸バリウム）などがある。
【００３９】
下部電極１１７及び上部電極１１９の材料は、例えばＰｔ（白金）、Ａｕ（金）、Ｉｎ（インジウム）等の低抵抗材料を挙げることができる。下部電極１１７及び上部電極１１９は例えばスパッタ法、写真製版技術及びエッチング技術によって形成される。下部電極１１７及び上部電極１１９の膜厚は例えば１００〜２００ｎｍ（ナノメートル）程度である。なお、下部電極１１７と上部電極１１９の材料は互いに異なっていてもよい。また、下部電極１１７の膜厚と上部電極１１９の膜厚は互いに異なっていてもよい。
【００４０】
振動板１１５上に圧電素子１１６を覆って圧電体保護膜１２０が形成されている。圧電体保護膜１２０は、例えば、ＡＬＤ（atomic layer deposition）方式によって成膜されたＡｌ2Ｏ3膜である。圧電体保護膜１２０の膜厚は例えば４０〜６０ｎｍである。ただし、圧電体保護膜１２０はこれに限定されない。
【００４１】
圧電体保護膜１２０の上に層間絶縁膜１２１が形成されている。層間絶縁膜１２１上に配線１２２が形成されている。配線１２２と上部電極１１９は圧電体保護膜１２０及び層間絶縁膜１２１に設けられた接続孔を介して電気的に接続されている。また、図示しない領域において、配線１２２と同時に形成された下部電極用配線が形成されている。この下部電極用配線は圧電体保護膜１２０及び層間絶縁膜１２１に設けられた接続孔を介して下部電極１１７と電気的に接続されている。
【００４２】
層間絶縁膜１２１は、例えばプラズマＣＶＤ方式によって成膜されたシリコン酸化膜である。層間絶縁膜１２１の膜厚は例えば０.５〜１μｍである。
【００４３】
配線１２２の材料は例えばアルミニウムである。配線１２２は例えばスパッタ法、写真製版技術及びエッチング技術によって形成される。配線１２２の膜厚は例えば１〜３μｍである。
【００４４】
層間絶縁膜１２１上に配線１２２を覆ってパッシベーション膜１２３が形成されている。パッシベーション膜１２３は例えば窒化シリコン膜である。パッシベーション膜１２３は駆動素子基板１１２の表面を外気から遮断している。配線１２２のパッド部分上のパッシベーション膜１２３に、外部入力素子１２４と電気的接続をとるためのパッド開口部が形成されている。
【００４５】
パッシベーション膜１２３の材料は例えばプラズマＣＶＤ方式によるシリコン窒化膜である。パッシベーション膜１２３の膜厚は例えば０.７〜１.５μｍである。
【００４６】
層間絶縁膜１２１及びパッシベーション膜１２３は、加圧液室部１１０ａと重なる領域において、配線１２２を保護するための部分を除いて除去されている。これは、振動板１１５及び圧電素子１１６が層間絶縁膜１２１及びパッシベーション膜１２３で覆われている部分を少なくするためである。
【００４７】
振動板１１５及び圧電素子１１６が層間絶縁膜１２１及びパッシベーション膜１２３で覆われていると、層間絶縁膜１２１及びパッシベーション膜１２３に起因して振動板１１５及び圧電素子１１６の変位幅が小さくなる。この実施例では、加圧液室部１１０ａと重なる領域で層間絶縁膜１２１及びパッシベーション膜１２３がなるべく除去されていることにより、これらの膜１２１，１２３に起因する振動板１１５及び圧電素子１１６の変位幅の減少が低減されている。
【００４８】
外部入力素子１２４は例えばＩＣ（Integrated Circuit）チップである。外部入力素子１２４は配線１２２を介して圧電素子１１６への電圧印加を制御する。外部入力素子１２４は、図１に示されたＦＣＰ１０８を介して液滴吐出ヘッド１０１の外部と電気的に接続される。配線１２２のパッド部分と外部入力素子１２４との接続方法は例えばスタッドバンプ方式である。ただし、外部入力素子１２４及び接続方法はこれらに限定されない。
【００４９】
駆動素子基板１１２において、保護基板１１３が接着剤１２５を介して接合される領域に駆動素子基板側接合部分１２６が形成されている。駆動素子基板側接合部分１２６の上面は例えばパッシベーション膜１２３によって形成されている。駆動素子基板側接合部分１２６は、平面視して、加圧液室部１１０ａを取り囲んで配置されている。
【００５０】
駆動素子基板側接合部分１２６は、接着剤１２５の塗布が予定される接着剤塗布領域と、接着剤１２５の塗布が予定されない未塗布領域を備えている。駆動素子基板側接合部分１２６は、接着剤塗布領域と未塗布領域の境界に表面性の変化点を備えている。この表面性の変化点は接着剤１２５の拡がりを制御するためのものである。この表面性の変化点は、例えば接着剤塗布領域と未塗布領域の接着剤１２５に対する濡れ性が互いに異なっていることによって形成される。駆動素子基板側接合部分１２６の接着剤塗布領域と未塗布領域の詳細については後述される。
【００５１】
パッシベーション膜１２３上に接着剤１２５を介して保護基板１１３が配置されている。保護基板１１３は駆動素子基板１１２の剛性を補完するためのものである。保護基板１１３は、保護基板側接合部分１１３ａと、凹部１１３ｂと、インク供給孔１１３ｃと、外部入力素子配置孔１１３ｄを備えている。
【００５２】
保護基板側接合部分１１３ａは駆動素子基板１１２の駆動素子基板側接合部分１２６と接着剤１２５を介して接合される部分である。保護基板側接合部分１１３ａは、平面視して、加圧液室部１１０ａを取り囲むようにして配置されている。
【００５３】
凹部１１３ｂは圧電素子１１６の形成領域を覆う位置に形成されている。凹部１１３ｂによって保護基板１１３と圧電素子１１６との間に空間１１４が形成されている。
【００５４】
インク供給孔１１３ｃは個別液室１１０のインク供給部１１０ｃに連通される貫通孔である。インク供給孔１１３ｃはパッシベーション膜１２３、層間絶縁膜１２１及び振動板１１５に形成された貫通孔を介してインク供給部１１０ｃに連通されている。
【００５５】
外部入力素子配置孔１１３ｄは外部入力素子１２４を配置するための貫通孔である。なお、図３において、外部入力素子配置孔１１３ｄの図示は省略されている。
【００５６】
保護基板１１３は、例えば厚みが４００μｍ程度のシリコン基板が加工されて形成されたものである。例えば、保護基板１１３は、写真製版技術及びＩＣＰエッチャーによるフッ素系ガスを用いたシリコン深掘りドライエッチング技術によって形成される。
【００５７】
例えば、アクチュエータ基板１０４における駆動素子基板１１２と保護基板１１３の接合は接着剤１２５を用いた微細接合及び高温ベークにより行われている。また、アクチュエータ基板１０４（駆動素子基板１１２）とノズル板１０３の接合は接着剤（図示は省略）用いた微細接合及び高温ベークにより行われている。例えば、ノズル板１０３とアクチュエータ基板１０４は一体部品とされている。
【００５８】
次にインクの流れについて説明する。
インク供給孔１１３ｃに供給されたインクは、個別液室１１０のインク供給部１１０ｃ、流体抵抗部１１０ｂを経由して加圧液室部１１０ａに流入する。加圧液室部１１０ａにインクが充填される。
【００５９】
アクチュエータ基板１０４に実装された外部入力素子１２４からの入力（電圧）が配線１２２を経由して圧電素子１１６の上部電極１１９に加わることで圧電体１１８に変位が発生する。下部電極１１７は電気的に接地された回路になっている（図示は省略。）。圧電体１１８の変位は振動板１１５を介して加圧液室部１１０ａ内に圧力を発生させる。これにより、ノズル孔１０９からインク滴１２７が射出される。
【００６０】
次に、駆動素子基板１１２と保護基板１１３の接合工程について説明する。
図７は、駆動素子基板と保護基板が接合したときの接着剤の拡がりによる不具合について説明するための概略的な断面図である。
【００６１】
例えば、印刷スクリーン印刷法や薄膜転写フレキソ印刷法などで、保護基板１１３に接着剤１２５が塗布される。その後、駆動素子基板１１２と保護基板１１３が相対的に位置合せされる。駆動素子基板１１２と保護基板１１３が互いに接近するように相対的に移動される。
【００６２】
駆動素子基板１１２の駆動素子基板側接合部分１２８と保護基板１１３の保護基板側接合部分１１３ａが接着剤１２５を介して接続される。なお、駆動素子基板側接合部分１２８は接着剤塗布領域と未塗布領域を備えていない。その後、加圧処理と加温処理が施されて、駆動素子基板側接合部分１２７と保護基板側接合部分１１３ａが接着剤１２５を介して接合される。
【００６３】
図７の下図に示されるように、接着剤１２５は、上記の加圧処理と加温処理のときに被接合面である駆動素子基板側接合部分１２８の表面性に起因して、駆動素子基板１１２側へ這い上がる。このとき、振動板１１５の振動部Ａ１まで接着剤１２５が拡がると、振動部Ａ１での振動板１１５の振動が阻害される。振動部Ａ１まで拡がった接着剤１２５は、振動板１１５の変位特性に影響を与える。したがって、液滴吐出ヘッドの吐出特性が不安定となるという問題があった。
【００６４】
そこで、本発明は、駆動素子基板の駆動素子基板側接合部分が、接着剤の塗布が予定される接着剤塗布領域と接着剤の塗布が予定されない未塗布領域を備えているようにした。ここで、駆動素子基板側接合部分は、接着剤の拡がりを制御するために接着剤塗布領域と未塗布領域の境界に表面性の変化点を備えている。これにより、駆動素子基板の駆動素子基板側接合部分からの接着剤のはみ出し領域が抑制される。また、本発明は、接着剤を塗れ拡がりさせない領域をより微細な領域レベルで制御可能である。
【００６５】
例えば、本発明と、接着剤塗布量を制御して所定の位置に塗布できる接着剤塗布方法とを組み合わせれば、接着剤が塗布される範囲をより高精度に制御できる。このような接着剤塗布方法として、例えばスクリーン印刷法や薄膜転写フレキソ印刷法などが挙げられる。
【００６６】
駆動素子基板の駆動素子基板側接合部分における接着剤塗布領域と未塗布領域について図８を参照して説明する。なお、図８では駆動素子基板側接合部分１２７，１２８について構造が簡略化されている。
【００６７】
図８（Ａ）において、駆動素子基板側接合部分１２８は接着剤塗布領域と未塗布領域を備えていない。接着剤１２５は、駆動素子基板側接合部分１２８の表面を構成するパッシベーション膜の表面に拡がる。
【００６８】
図８（Ａ）において、駆動素子基板側接合部分１２８は接着剤塗布領域と未塗布領域を備えていない。接着剤１２５は、接着剤１２５の量や塗れ性の違いなどによって、駆動素子基板側接合部分１２８の表面を構成するパッシベーション膜の表面に這い上がって拡がる。駆動素子基板側接合部分１２８は接着剤１２５が広がる範囲を制御できないので、図７の下図のように接着剤１２５が振動板１１５の振動部まで拡がる虞がある。
【００６９】
図８（Ａ）において、駆動素子基板側接合部分１２６は、接着剤１２５の塗布が予定される接着剤塗布領域１２６ａと、接着剤１２５の塗布が予定されない未塗布領域１２６ｂを備えている。接着剤塗布領域１２６ａと未塗布領域１２６ｂは接着剤１２５に対する表面特性が異なっている。駆動素子基板側接合部分１２６は、接着剤１２５の拡がりを制御するために接着剤塗布領域１２６ａと未塗布領域１２６ｂの境界に表面性の変化点を備えている。
【００７０】
例えば、駆動素子基板側接合部分１２６の表面を構成するパッシベーション膜１２３は窒化シリコン膜である。接着剤塗布領域１２６ａにおいて、パッシベーション膜１２３の表面に表面処理が施されている。この表面処理は、例えば感光レジストなどの写真製版技術によって形成されたマスクパターンを使用して、接着剤塗布領域１２６ａに対して施される。この表面処理は未塗布領域１２６ｂに対しては施されない。この表面処理は、接着剤塗布領域１２６ａと未塗布領域１２６ｂの境界位置の制御を精密に行うことができる。
【００７１】
この表面処理の１つの方法は、イオン注入法によって例えばＰイオン、Ａｓイオン、ＢＦ2などの不純物種を接着剤塗布領域１２６ａのパッシベーション膜１２３に注入することによって行なわれる。
【００７２】
この表面処理の他の方法は、接着剤塗布領域１２６ａのパッシベーション膜１２３の表面に凹凸形状を形成する（表面粗さを粗くする）ことによって行なわれる。この凹凸形状を形成する方法は、例えば、ＡｒやＯ2などを用いたスパッタ法や、ＣＦ4、ＣＨＦ3、Ｃ2Ｆ6、ＳＦ6など用いたエッチング法を挙げることができる。
【００７３】
この表面処理のさらに他の方法は、接着剤塗布領域１２６ａのパッシベーション膜１２３の表面に凹凸形状が形成されない程度の低エネルギーで上記スパッタ法や上記エッチング法によって表面処理が施されることによって行われる。
なお、本発明において、表面処理の方法はこれらの方法に限定されない。
【００７４】
例えば、接着剤１２５は親水性である。上記表面処理によって接着剤塗布領域１２６ａの表面は未塗布領域１２６ｂの表面に比べて親水性になっている。
【００７５】
駆動素子基板１１２と保護基板１１３の接合時に、接着剤１２５は駆動素子基板側接合部分１２６の表面に拡がる。駆動素子基板側接合部分１２６の表面に拡がる接着剤１２５の液体流動速度は、つまり塗れ性の変化点、接着剤塗布領域１２６ａと未塗布領域１２６ｂの境界で急激に変化する。接着剤塗布領域１２６ａと未塗布領域１２６ｂの境界近傍で接着剤１２５の盛り上がりが発生する。そして、接着剤１２５の塗れ拡がりは接着剤塗布領域１２６ａと未塗布領域１２６ｂの境界で止まる。
【００７６】
これにより、この実施例は、振動板１１５及び圧電素子１１６の変位部分への接着剤１２５の流れ込みを防止することができる。したがって、この実施例は、液滴吐出ヘッド１０１の吐出特性を安定させることができる。
【００７７】
なお、本発明では、接着剤塗布領域１２６ａと未塗布領域１２６ｂの境界に表面性の変化点が形成されていればよい。図８（Ｂ）では、接着剤塗布領域１２６ａに対して表面処理が施されて、接着剤塗布領域１２６ａと表面性と未塗布領域１２６ｂの表面性が互いに異なっている。これに対し、未塗布領域１２６ｂに対して表面処理が施されて、接着剤塗布領域１２６ａと表面性と未塗布領域１２６ｂの表面性が互いに異なっていてもよい。また、接着剤塗布領域１２６ａと未塗布領域１２６ｂに対して異なる表面処理が施されて、接着剤塗布領域１２６ａと表面性と未塗布領域１２６ｂの表面性が互いに異なっていてもよい。
【００７８】
接着剤１２５が親水性接着剤である場合、接着剤塗布領域１２６ａの表面は未塗布領域１２６ｂの表面に比べて親水性度が高いことが好ましい。例えば、接着剤１２５が親水性接着剤である場合、接着剤塗布領域１２６ａの表面は親水性であり、未塗布領域１２６ｂの表面は疎水性であることが好ましい。
【００７９】
また、接着剤１２５が疎水性接着剤である場合、接着剤塗布領域１２６ａの表面は未塗布領域１２６ｂの表面に比べて疎水性度が高いことが好ましい。例えば、接着剤１２５が疎水性接着剤である場合、接着剤塗布領域１２６ａの表面は疎水性であり、未塗布領域１２６ｂの表面は親水性であることが好ましい。
【００８０】
また、駆動素子基板側接合部分１２６の表面は窒化シリコン膜からなるパッシベーション膜の表面であるが、本発明において駆動素子基板側接合部分の表面はこれに限定されない。本発明において駆動素子基板側接合部分の表面は、他の材料、例えば酸化シリコン膜やポリイミド膜、アルミナ（ＡｌｘＯｙ）膜、窒化酸化（ＳｉＯＮ）膜、樹脂系（ＳＵ−８、ＳＯＧ）膜などの絶縁膜であってもよい。
【００８１】
図８（Ｃ）において、駆動素子基板側接合部分１２６の表面性の変化点は、駆動素子基板側接合部分１２６の一部分が除去されて形成された凹凸段差形状によって形成されている。駆動素子基板側接合部分１２６において、接着剤塗布領域１２６ａはパッシベーション膜１２３の上面（保護基板１１３と対向する面）で形成されている。未塗布領域１２６ｂはパッシベーション膜１２３の側面で形成されている。
【００８２】
図８（Ｃ）において、駆動素子基板側接合部分１２６の表面性の変化点は、例えばパッシベーション膜１２３がパターンニング加工されることによって形成される。このパターンニング加工処理は、例えば、感光レジストなどの写真製版技術によって形成されたマスクパターンを使用して、パッシベーション膜１２３をエッチング加工することによって行われる。パッシベーション膜１２３が窒化シリコン膜の場合のエッチング方法は、例えば、熱燐酸やＨＦなどを用いたウェットエッチング法や、ＣＦ4、ＣＨＦ3、Ｃ2Ｆ6、ＳＦ6など用いたドライエッチ法などが挙げられる。
【００８３】
図８（Ｃ）において、接着剤１２５の塗れ拡がりは接着剤塗布領域１２６ａと未塗布領域１２６ｂの境界で止まる。これにより、この実施例は、振動板１１５及び圧電素子１１６の変位部分への接着剤１２５の流れ込みを防止することができる。
【００８４】
なお、駆動素子基板側接合部分１２６において、接着剤塗布領域１２６ａと未塗布領域１２６ｂを形成するための形状変化が形成されていればよい。したがって、駆動素子基板側接合部分１２６の形成領域外にパッシベーション膜１２３が完全には除去されずに残っていてもよい。
【００８５】
図８（Ｄ）において、駆動素子基板側接合部分１２６の表面性の変化点は、駆動素子基板側接合部分１２６の一部分が除去されて形成された凹凸段差形状によって形成されている。駆動素子基板側接合部分１２６において、接着剤塗布領域１２６ａはパッシベーション膜１２３の上面で形成されている。接着剤塗布領域１２６ａの表面に、図８（Ｂ）を参照して説明した表面処理が施されている。未塗布領域１２６ｂはパッシベーション膜１２３の側面で形成されている。
【００８６】
例えば、パッシベーション膜１２３が成膜された後に、図８（Ｂ）を参照して説明した表面処理がパッシベーション膜１２３全面に施される。その後、図８（Ｃ）を参照して説明したパターンニング加工処理がパッシベーション膜１２３に対して施されて、図８（Ｄ）に示された駆動素子基板側接合部分１２６が形成される。
【００８７】
図８（Ｄ）において、接着剤１２５の塗れ拡がりは接着剤塗布領域１２６ａと未塗布領域１２６ｂの境界で止まる。これにより、この実施例は、振動板１１５及び圧電素子１１６の変位部分への接着剤１２５の流れ込みを防止することができる。
【００８８】
なお、駆動素子基板側接合部分１２６において、接着剤塗布領域１２６ａ及び未塗布領域１２６ｂは、少なくとも保護基板１１３の凹部１１３ｂに対向する領域に形成される。ただし、保護基板１１３の凹部１１３ｂに対向する領域以外の領域において、駆動素子基板側接合部分１２６に接着剤塗布領域１２６ａ及び未塗布領域１２６ｂが形成されていてもよい。その一例を図６を参照して説明する。
【００８９】
例えば、保護基板１１３の凹部１１３ｂとインク供給孔１１３ｃの間の保護基板側接合部分１１３ａに対応する駆動素子基板側接合部分１２６は、凹部１１３ｂに対向する領域に図８（Ｂ）示された接着剤塗布領域１２６ａ及び未塗布領域１２６ｂを備えている。また、この部分の駆動素子基板側接合部分１２６は、インク供給孔１１３ｃに露出している領域に図８（Ｃ）又は図８（Ｄ）示された接着剤塗布領域１２６ａ及び未塗布領域１２６ｂを備えている。
【００９０】
また、保護基板１１３の凹部１１３ｂと外部入力素子配置孔１１３ｄの間の保護基板側接合部分１１３ａに対応する駆動素子基板側接合部分１２６は、凹部１１３ｂに対向する領域に図８（Ｂ）示された接着剤塗布領域１２６ａ及び未塗布領域１２６ｂを備えている。また、この部分の駆動素子基板側接合部分１２６は、外部入力素子配置孔１１３ｄに露出している領域に図８（Ｂ）示された接着剤塗布領域１２６ａ及び未塗布領域１２６ｂを備えている。外部入力素子配置孔１１３ｄに露出している領域に設けられた接着剤塗布領域１２６ａ及び未塗布領域１２６ｂは、外部入力素子１２４が搭載される端子への接着剤１２５の流れ込みを防止する。
【００９１】
駆動素子基板側接合部分１２６の形成工程を含むアクチュエータ基板１０４の製造プロセスは、例えば、ＭＥＭＳ（Micro Electro Mechanical Systems）技術、半導体に使用するシリコンウェハプロセスによって実現することが可能である。これにより、低コストの実現や寸法精度の向上による微細化の実現が可能となる。さらに、微細な吐出安定性のある液滴吐出ヘッド１０１の製造が可能となる。
【００９２】
図１０は、液体カートリッジの一実施例を説明するための概略的な斜視図である。
液体カートリッジ２０１は、ノズル孔２０２等を有する上記実施例の液滴吐出ヘッド２０３と、液滴吐出ヘッド２０３に対して液体を供給する液体タンク２０４とを一体化したものである。
【００９３】
このように液体タンク一体型のヘッドの場合、液滴吐出ヘッド２０３の性能はただちに液体カートリッジ２０１全体の性能につながる。したがって、液滴吐出ヘッド２０３として高密度で信頼性の高い本発明の液滴吐出ヘッドを使用することにより、液滴吐出ヘッド２０３に関する吐出特性の安定性が向上し、信頼性の高い液体カートリッジ２０１を得ることができる。
【００９４】
図１１は、画像形成装置の一実施例を説明するための概略的な斜視図である。図１２はこの実施例の機構部を説明するための側面図である。
【００９５】
画像形成装置３０１は、記録装置本体３０２の内部に印字機構部３０３等を収納している。印字機構部３０３は、主走査方向に移動可能なキャリッジ３１０、キャリッジ３１０に搭載した本発明を実施した液滴吐出ヘッドからなる記録ヘッド３１１、記録ヘッド３１１へインクを供給するインクカートリッジ３１２等で構成されている。画像形成装置３０１は、記録装置本体３０２の下方部には前方側から多数枚の用紙３０４を積載可能な給紙カセット（又は給紙トレイでもよい。）３０５を抜き差し自在に装着することができる。また、画像形成装置３０１は、用紙３０４を手差しで給紙するための手差しトレイ３０６を開倒することができる。画像形成装置３０１は、給紙カセット３０５又は手差しトレイ３０６から給送される用紙３０４を取り込み、印字機構部３０３によって所要の画像を記録した後、後面側に装着された排紙トレイ３０７に排紙する。
【００９６】
印字機構部３０３は、図示しない左右の側板に横架したガイド部材である主ガイドロッド３０８と従ガイドロッド３０９とでキャリッジ３１０を主走査方向（図１２で紙面垂直方向）に摺動自在に保持している。キャリッジ３１０にはイエロー（Ｙ）、シアン（Ｃ）、マゼンタ（Ｍ）、ブラック（Ｂｋ）の各色のインク滴を吐出する本発明に係る液滴吐出ヘッドからなる記録ヘッドが複数のインク吐出口（ノズル）を主走査方向と交差する方向に配列されている。記録ヘッドはインク滴吐出方向を下方に向けて装着されている。また、キャリッジ３１０には記録ヘッドに各色のインクを供給するための各インクカートリッジ３１２が交換可能に装着されている。
【００９７】
インクカートリッジ３１２は、上方に大気と連通する大気口を有し、下方にはインクジェットヘッドへインクを供給する供給口を有している。また、インクカートリッジ３１２は、内部にはインクが充填された多孔質体を有しており、多孔質体の毛管力によりインクジェットヘッドへ供給されるインクをわずかな負圧に維持している。また、記録ヘッドとしてここでは各色の記録ヘッドを用いているが、各色のインク滴を吐出するノズルを有する１個のヘッドでもよい。
【００９８】
ここで、キャリッジ３１０は、後方側（用紙搬送方向下流側）を主ガイドロッド３０８に摺動自在に嵌装し、前方側（用紙搬送方向上流側）を従ガイドロッド３０９に摺動自在に載置している。そして、このキャリッジ３１０を主走査方向に移動走査するため、主走査モータ３１３で回転駆動される駆動プーリ３１４と従動プーリ３１５との間にタイミングベルト３１６が張装されている。キャリッジ３１０はタイミングベルト３１６に固定されており、主走査モータ３１３の正逆回転によりキャリッジ３１０が往復駆動される。
【００９９】
給紙カセット３０５にセットした用紙３０４を記録ヘッドの下方側に搬送するために、給紙ローラ３１７、フリクションパッド３１８、ガイド部材３１９、搬送ローラ３２０、搬送コロ３２１及び先端コロ３２２が設けられている。給紙ローラ３１７及びフリクションパッド３１８は給紙カセット３０５から用紙３０４を分離給装する。ガイド部材３１９は用紙３０４を案内する。搬送ローラ３２０は給紙された用紙３０４を反転させて搬送する。搬送コロ３２１は搬送ローラ３２０の周面に押し付けられる。先端コロ３２２は搬送ローラ３２０からの用紙３０４の送り出し角度を規定する。搬送ローラ３２０は副走査モータ３２３によってギヤ列を介して回転駆動される。
【０１００】
キャリッジ３１０の主走査方向の移動範囲に対応して搬送ローラ３２０から送り出された用紙３０４を記録ヘッド３１１の下方側で案内する用紙ガイド部材である印写受け部材３２４が設けられている。印写受け部材３２４の用紙搬送方向下流側には、用紙３０４を排紙方向へ送り出すために回転駆動される搬送コロ３２５、拍車３２６が設けられている。さらに用紙３０４を排紙トレイ３０７に送り出す排紙ローラ３２７及び拍車３２８と、排紙経路を形成するガイド部材３２９，３３０が配設されている。
【０１０１】
記録時には、キャリッジ３１０を移動させながら画像信号に応じて記録ヘッド３１１を駆動することにより、停止している用紙３０４にインクを吐出して１行分を記録し、用紙３０４を所定量搬送後次の行の記録を行なう。記録終了信号又は用紙３０４の後端が記録領域に到達した信号を受けることにより、記録動作を終了させ用紙３０４を排紙する。
【０１０２】
また、キャリッジ３１０の移動方向右端側の記録領域を外れた位置には、記録ヘッドの吐出不良を回復するための回復装置３３１が配置されている。回復装置３３１はキャップ手段と吸引手段とクリーニング手段を有している。キャリッジ３１０は印字待機中にはこの回復装置３３１側に移動されてキャッピング手段で記録ヘッドをキャッピングされ、吐出口部を湿潤状態に保つことによりインク乾燥による吐出不良を防止する。また、記録途中などに記録と関係しないインクを吐出することにより、全ての吐出口のインク粘度を一定にし、安定した吐出性能を維持する。  
【０１０３】
吐出不良が発生した場合等には、キャッピング手段で記録ヘッドの吐出口（ノズル）を密封し、チューブを通して吸引手段で吐出口からインクとともに気泡等を吸い出し、吐出口面に付着したインクやゴミ等はクリーニング手段により除去され吐出不良が回復される。また、吸引されたインクは、本体下部に設置された廃インク溜（図示は省略）に排出され、廃インク溜内部のインク吸収体に吸収保持される。
【０１０４】
このように、画像形成装置３０１においては本発明を実施した液滴吐出ヘッドからなる記録ヘッド３１１が搭載されているので、画像形成装置３０１は高画質、高速での記録を行うことができる。また高速であるので、画像形成装置３０１全体の消費電力も低減できる。記録ヘッド３１１の性能はただちに画像形成装置３０１全体の性能につながるので、本発明を実施した液滴吐出ヘッドからなる信頼性の高い記録ヘッド３１１を使用することにより、信頼性の高い画像形成装置３０１を得ることができる。
【０１０５】
なお、本発明にかかる画像形成装置は、プリンタ、ファクシミリ装置、複写装置、これらの複合機などにも適用することができる。また、本発明にかかる画像形成装置は、インク以外の液体、例えばＤＮＡ試料やレジスト、パターン材料などを吐出する液滴吐出ヘッドや液滴吐出装置、又はこれらを備えた画像形成装置にも適用することができる。
【０１０６】
以上、本発明の実施例を説明したが、上記実施例での数値、材料、配置、個数等は一例であり、本発明はこれらに限定されるものではなく、特許請求の範囲に記載された本発明の範囲内で種々の変更が可能である。
【０１０７】
例えば、本発明の液滴吐出ヘッドは、上記実施例の液滴吐出ヘッドの構成に限定されない。本発明の液滴吐出ヘッドは、駆動素子基板と保持基板が接着剤によって接合された液滴吐出ヘッドであれば、どのような構成の液滴吐出ヘッドに対しても適用できる。
【０１０８】
また、本発明の液滴吐出ヘッドにおいて、１つ液室に複数のノズル孔が配置されていてもよい。
【符号の説明】
【０１０９】
１０１  液滴吐出ヘッド
１０３  ノズル板
１０９  ノズル孔
１１０ａ  加圧液室部（液室）
１１２  駆動素子基板
１１３  保護基板
１１３ａ  保護基板側接合部分
１１５  振動板
１１６  圧電素子（駆動素子）
１２５  接着剤
１２６  駆動素子基板側接合部分
１２６ａ  接着剤塗布領域
１２６ｂ  未塗布領域
２０１  液体カートリッジ
２０２  ノズル孔
２０３  液滴吐出ヘッド
２０４  液体タンク
３０１  画像形成装置
３１１  記録ヘッド（液滴吐出ヘッド）
【先行技術文献】
【特許文献】
【０１１０】
【特許文献１】特許第４５６９２０１号公報
【図１】
2015160309.tif 000003
【図２】
2015160309.tif 000004
【図３】
2015160309.tif 000005
【図４】
2015160309.tif 000006
【図５】
2015160309.tif 000007
【図６】
2015160309.tif 000008
【図７】
2015160309.tif 000009
【図８】
2015160309.tif 000010
【図９】
2015160309.tif 000011
【図１０】
2015160309.tif 000012
【図１１】
2015160309.tif 000013